(57)【要約】光を広げるパワーの強いレンズを用いながら、輝度及び色が共に均一化された面光源および液晶ディスプレイ装置を提供する。発光装置（１）は、光軸Ａを中心として光を放射するものであり、光源（２）と、光源（２）からの光を放射状に拡張するレンズ（３）とを備えている。光源（２）は、発光素子と、発光素子を覆う蛍光体とを有し、光軸と直交する発光面を有している。レンズ（３）は、光軸に直交する第１方向と、光軸および第１方向と直交する第２方向の屈折力が異なるように構成されている。例えば、レンズ（３）の入射面（３１）が、第１方向と第２方向とで湾曲態様が異なるアナモフィックな曲面を含む。
2012164791.tif 000002
【特許請求の範囲】
【請求項１】
光源（２）およびこの光源を覆って配置され光源からの光を拡張するレンズ（３）を有する発光装置（１）と、発光装置に対向して配置され光源の光軸に直交して延在する拡散板（４）とを備え、拡散板の表面から光を放射する面光源（７）において、
前記発光装置は、拡散板の中央部に対向して拡散板の一辺に沿って複数個が列状に配置され、
前記光源は、発光素子（２２）と、該発光素子を覆う蛍光体層（２３）とを有し、蛍光体層の表面が発光面（２１）であり、
前記レンズは、前記光軸に直交する第１方向と、前記光軸および前記第１方向に直交する第２方向との屈折力が異なる、
面光源。
【請求項２】
前記レンズは、前記光源からの光を該レンズ内に入射させる入射面（３１）と、該レンズ内に入射した光を出射させる出射面（３２）とを有し、
前記入射面がアナモフィックな非球面の曲面を含む、請求項１に記載の面光源。
【請求項３】
前記出射面は、前記アナモフィックな非球面の曲面を含む凸面であり、
前記入射面は、前記光軸に対して回転対称な凹面である、請求項２に記載の面光源。
【請求項４】
前記光源は、前記蛍光体層は、ドーム状に形成された、請求項１に記載の面光源。
【請求項５】
前記レンズは、前記光源の発光面の最大幅をＤ、前記レンズの有効径をＤｅとしたとき、次の条件式、
０．０３＜Ｄ／Ｄｅ＜０．３
を満足する、請求項１に記載の面光源。
【請求項６】
前記レンズは、前記光源の発光面の最大幅をＤ、前記レンズの中心の厚みをｔとしたとき、
０．３＜Ｄ／ｔ＜３．０
を満足する、請求項１に記載の面光源。
【請求項７】
前記レンズの屈折力の弱い方向と、発光装置を多数並べる方向とが略一致するよう配置されている、請求項１の面光源。
【請求項８】
前記発光装置は、前記発光素子の発光領域と、前記蛍光体からの発光領域との差が前記第１方向と前記第２方向とで異なる状態では、差が大きい方向に、前記レンズの屈折力の弱い方向を合わせて配置されている、請求項１に記載の面光源。
【請求項９】
前記複数の発光装置におけるそれぞれの前記光源が実装され、前記拡散板に対向して配置される基板（５）と、
前記光源を露出させながら前記基板を覆うとともに基板と拡散板との間に配置される反射用部材（６）と、をさらに備える、請求項１に記載の面光源。
【請求項１０】
液晶表示パネル（９）と、該液晶表示パネルの背面側に配置され、該液晶表示パネルに対応する大きさの面光源（７）とを備えた液晶ディスプレイ装置であって、前記面光源は、複数個の光源（２）および該光源を覆って配置され光源からの光を拡張するレンズ（３）を有する発光装置（１）と、発光装置に対向して前記液晶表示パネルに隣接して配置され光源の光軸に直交して延在する拡散板（４）と、前記発光装置から出射した光を前記拡散板側に反射させる反射用部材（６）と、前記発光装置および前記反射用部材を収容し前記拡散板で閉止される筐体（１０）とを有する、液晶ディスプレイ装置（１０１）において、
前記発光装置は、拡散板の中央部に対向して拡散板の一辺に沿って複数個が列状に配置され、
前記光源は、発光素子（２２）と、該発光素子を覆う蛍光体層（２３）とを有し、蛍光体層の表面が発光面（２１）であり、
前記レンズは、前記光軸に直交する第１方向と、前記光軸および前記第１方向と直交する第２方向の屈折力が異なる、
液晶ディスプレイ装置。
【発明の詳細な説明】
【技術分野】
【０００１】
本発明は、例えば発光ダイオード（以下単に「ＬＥＤ」という。）等の光源からの光の方向性をレンズで広げる面光源に関する。また、本発明は、この面光源がバックライトとして液晶パネル後方に配置された液晶ディスプレイ装置に関する。
【背景技術】
【０００２】
従来の大型の液晶ディスプレイ装置のバックライトでは、冷陰極管が液晶パネル直下に多数配置され、これらの冷陰極管が拡散板や反射板等の部材と共に使われていた。近年では、バックライトの光源としてＬＥＤが使用されるようになっている。ＬＥＤは、近年、発光効率が向上し、蛍光灯に変わる消費電力の少ない光源として期待されている。また、液晶ディスプレイ装置用の光源としては、映像に応じてＬＥＤの明暗を制御することで液晶ディスプレイ装置の消費電力を下げることができる。【０００３】
液晶ディスプレイ装置において、ＬＥＤを光源とするバックライトでは、冷陰極管の代わりに多数のＬＥＤを配置することとなる。多数のＬＥＤを用いることで、バックライト表面に均一な明るさを得ることができるが、多数のＬＥＤが必要なことから、安価にできない問題があった。この欠点を解決すべく、１個のＬＥＤの出力を大きくし、使用するＬＥＤの個数を減らす取り組みがなされている。例えば特許文献１では、少ない個数のＬＥＤでも均一な輝度の面光源が得られるようにする発光装置が提案されている。【０００４】
少ない個数のＬＥＤで均一な輝度の面光源を得るためには、１個のＬＥＤで照明可能な照明領域を大きくする必要がある。このために特許文献１の発光装置では、ＬＥＤからの光をレンズで放射状に拡張している。これにより、ＬＥＤからの光の方向性が広げられ、被照射面において、ＬＥＤの光軸を中心とする広い範囲を照明することができる。具体的には、特許文献１の発光装置に用いられるレンズは、平面視で円形状をなしており、光入射面と光制御出射面とが共に光軸に対して回転対称な形状である。ここで、光入射面は、凹面にて形成され、光制御出射面は、光軸近傍部分が凹面で光軸近傍部分の外側部分が凸面にて形成されている。【０００５】
一方、特許文献２には、光出射面の中央に、光軸と直交する方向に延びるＶ溝が形成されたレンズを用いた発光装置が開示されている。この発光装置のレンズによれば、ＬＥＤからの光は、Ｖ溝が延びる方向（縦方向）には、正規分布の角度分布を保ったまま拡張されるが、Ｖ溝が延びる方向と直交する方向（横方向）には、角度分布が光軸近傍では大きく窪み、その両側では急峻に立ち上がるように拡張される。
【先行技術文献】
【特許文献】
【０００６】
【特許文献１】特開２００６−９２９８３号公報
【特許文献２】特開２００８−１０６９３号公報
【発明の概要】
【発明が解決しようとする課題】
【０００７】
近年の白色ＬＥＤは、青色ＬＥＤ素子に、ＹＡＧ系やＴＡＧ系などの蛍光体を設けて、疑似白色光を生成するものが主流となっている。このような光源は、パッケージに青色ＬＥＤ素子をボンディングし、青色ＬＥＤ素子を覆うように蛍光体を分散させた透明樹脂を充填して作られている。【０００８】
このような光源は、青色ＬＥＤ素子による青色の光と、青色の光により励起された蛍光体が発光して作る黄色の光とで擬似白色の光を得ているため、青色の発光面サイズと、黄色の発光面のサイズとが異なる。そのため、このようなＬＥＤの光を、特許文献１にあるようなレンズを用いて広げた場合、色によって光の広がりに差が生じ、光源からの光が照射される面光源内の被照射面において色ムラが生じてしまうことになる。また、この色ムラは、光を広げるパワーが強いレンズほど顕著になる傾向にある。【０００９】
ＬＥＤの発光効率が向上しつつある近年においては、光源１つあたりの、上記被照射面における照射面積を広げ、なおかつ、輝度及び色が共に均一化された、低コストで省エネルギーの面光源が望まれる。【００１０】
なお、特許文献２の発光装置は、放射する光に意図的に異方性を作り出すものであるため、上述の要望を満たすものではない。【００１１】
本発明は、上述の要望に鑑み、光を広げる力のある広配光レンズを用いながら、光源が持っている異なる色の光によって生じる被照射面の色ムラを軽減することができ、輝度及び色が共に均一化された面光源、および液晶ディスプレイ装置を提供することを目的とする。
【課題を解決するための手段】
【００１２】
上記目的を達成するため、本発明は以下のように構成する。
即ち、本発明の第１態様における面光源は、列状に配置された複数の発光装置と、前記複数の発光装置を覆うように配置され、前記複数の発光装置から被照射面に照射された光を放射面から拡散した状態で放射する拡散板とを備える。前記複数の発光装置のそれぞれは、光軸を中心として光を放射する発光装置であって、発光素子と前記発光素子を覆い、蛍光体を分散させた樹脂とを有する光源と、前記光源からの光を放射状に拡張するレンズとを有する。前記レンズは、前記光軸と直交する第１方向と、前記光軸および前記第１方向に直交する第２方向とにおける屈折力が異なる。【００１３】
さらに本発明は、液晶パネルと、前記液晶パネルの裏側に配置された上述の面光源と、を備える液晶ディスプレイ装置に関する。
【発明の効果】
【００１４】
上述の構成によれば、発光装置におけるレンズは、前記光軸と直交する第１方向のレンズの屈折力と、光軸および第１方向と直交する第２方向のレンズの屈折力とを異ならせることで、レンズの出射面側で生じる光の全反射成分が低減される。従って、本発明によれば、光を広げるパワーの強いレンズを用いながらも、光源が持っている色の異なる光によって生じる被照射面の色ムラを軽減することができる。
【図面の簡単な説明】
【００１５】
【図１】本発明の実施の形態１に係る液晶ディスプレイ装置の構成図、
【図２】図１のIIＡ（Ｘ）−IIＡ（Ｘ）にて切断した断面図、
【図３】図１に示す面光源の発光装置を示す平面図、
【図４】発光装置の配列の一例を示す平面図、
【図５】本発明の実施の形態２に係る面光源の構成図、
【図６】図５の面光源の部分的な断面図、
【図７】本発明の実施の形態３に係る発光装置の平面図、
【図８Ａ】図７のIIＡ−IIＡ線における断面図、
【図８Ｂ】図７のIIＢ−IIＢ線における断面図、
【図９Ａ】図７に示す光源の具体例を示す斜視図、
【図９Ｂ】図７に示す光源の具体例を示す斜視図、
【図９Ｃ】図７に示す光源の具体例を示す斜視図、
【図１０】図７の発光装置に用いられる光源の発光面の輝度分布を示すグラフ、
【図１１】実施例１に係る発光装置の説明図、
【図１２Ａ】実施例１の発光装置に用いられるレンズの入射面形状を表す、ＲとｓａｇＡＸ，ｓａｇＡＹの関係を示すグラフ（表１をグラフ化）、
【図１２Ｂ】実施例１の発光装置に用いられるレンズの入射面形状を表す、ＲとｓａｇＢの関係を示すグラフ（表１をグラフ化）、
【図１３】実施例１の発光装置の照度分布を示すグラフ、
【図１４】実施例１に係る発光装置の効果を確認するための、ＬＥＤのみで面光源を構成したときの照度分布を示すグラフ、
【図１５】レンズの入射面が回転対称となった以外は実施例１と同様の構成の発光装置の照度分布を示すグラフ、
【図１６】実施例１の色度Ｙ値の分布を示すグラフ、
【図１７】レンズの入射面が回転対称となった以外は実施例１と同様の構成の発光装置の色度Ｙ値の分布を示すグラフ、
【図１８】実施例１の発光装置の光路図、
【図１９】実施例１の面光源の照度分布を示すグラフ、
【図２０】光源のみの照度分布を示すグラフ。
【発明を実施するための形態】
【００１６】
以下、本発明の一実施の形態による面光源およびその面光源を用いた液晶ディスプレイ装置について、図面を参照しながら説明する。尚、各図において、同一又は同様の構成部分については同じ符号を付している。
【００１７】
（実施の形態１）
図１は、本発明の実施の形態１に係る液晶ディスプレイ装置１０１の全体の概略構成を示す分解斜視図である。また、図２は、図１のIIＡ（Ｘ）−IIＡ（Ｘ）線で切断した断面図である。
【００１８】
図１、図２に示すように、液晶ディスプレイ装置１０１は、長方形の平板形状で透過型の液晶表示パネル９と、この液晶表示パネル９の背面９ａ側（反表示面側）に配置され、液晶表示パネル９に対応する大きさの直方体形状の面光源７とを備えて構成されている。ここで面光源７は、液晶表示パネル９のバックライトとして機能するもので、光源としてＬＥＤを使用する。
【００１９】
面光源７は、液晶表示パネル９の長辺方向９ｂに沿って液晶表示パネル９の中央部と対向するように直線状に配置された複数の発光装置１と、この発光装置１を収容する直方体形状の筐体１０と、この筐体１０の開口部１０ａを覆うように配置されるとともに、前記液晶表示パネル９と発光装置１との間に配置される拡散板４と、筐体１０内に配置され、前記発光装置１から出射した光を液晶表示パネル９の背面９ａ側、すなわち拡散板４側に反射させる反射シート６とを備えている。尚、拡散板４は、発光装置１の光軸に直交して延在する。反射シート６は、本実施形態では、液晶表示パネル９の長辺方向９ｂに沿って湾曲した反射面が連続する円弧状のシート材で構成され、長辺方向９ｂにおける両端部には、面光源７の外側へ反った側板が設けられており、短辺方向に沿っても円弧ないし傾斜を有する。尚、反射シート６の形状は、本実施形態のような円弧状に限定するものではない。また、発光装置１は、後述の実施形態で詳しく説明するが、ＬＥＤ光源２と、光源２を覆って配置されるレンズ３とを有する。
【００２０】
拡散板４は、液晶表示パネル９の背面９ａに対面する放射面４ｂ（図６）、つまり光を放出する面に、液晶表示パネル９に対応する大きさの光学シート積層体８を備えている。尚、放射面４ｂに対向する、拡散板４の被照射面４ａ（図６）は、発光装置１からの光が照射される面である。この光学シート積層体８は、例えば、拡散板４からの入射光を前方の液晶表示パネル９側に向けて集光させるプリズムシート、拡散板４からの入射光をさらに拡散させる拡散シート、入射光の偏光面が液晶表示パネル９の偏光面に対応するように特定の偏光面を有する光を透過させる偏光シート等により構成されている。また、本実施の形態においては、発光装置１が液晶表示パネル９の中央部に対向するように直線状に配置されることにより、発光装置１は、面光源７のほぼ中央部のみに配置されることとなる。
【００２１】
図３は、面光源７の発光装置１を示す平面図である。
【００２２】
発光装置１は、裏面側に所定の配線パターンを形成した短冊形状の絶縁性の基板５の表面上に、所定の間隔で配置される。
【００２３】
本実施の形態において、複数の発光装置１は、図４の（ａ）に示され上述したように、液晶表示パネル９および拡散板４の中央部に長辺方向９ｂに沿って直線状に２列に配置されている。なお、図４の（ａ）に示す例においては、複数個の発光装置１は、隣り合う列間において、千鳥状に配列しているが、千鳥状に配列しないで、隣り合う列間において、同じ位置になるように配列してもよい。また、配列する列数は、中央部に直線状に配置されていれば、１列（図４の（ｂ））でも３列でも良い。
【００２４】
このように面光源７において、発光装置１を中央部に直線状に複数個配置することにより、それぞれのレンズ列による輝度分布が交互に重なり、輝度分布のムラを減少させることができる。また、このような構成とすることにより、面光源７として十分な明るさを確保し、しかも少ない個数の光源２とレンズ３で構成することができ、安価に装置を構成することができる。
【００２５】
ところで、図１、図２に示すように、液晶表示パネル９の中央部と対向するように一列に直線状に複数の発光装置１を配置して構成した場合、本発明者らが実験により確認したところでは、面光源７の端部において、拡散板４から出射される光が少なく、十分な明るさを確保しにくくなる。このような場合は、出力が大きい光源２を使用すればよいが、価格が高くなってしまう。一方、液晶ディスプレイ装置１０１としては、画面の中央部が周辺部に比べてより明るいことが要求される。そのため、発光装置１の配置のピッチは、一定ではなく、画面中心部から周辺にかけて、密、疎、密となるように配置されることが望ましい。このように配置することで、画面中央部に十分な明るさを持ちながら、端部まで必要な明るさを確保した、輝度分布ムラの少ない面光源７を構成することができる。
【００２６】
また、ＬＥＤ光源２は、青色光を発する発光素子をＹＡＧ系やＴＡＧ系などの蛍光体で封止することで疑似白色光を生成していることから、全方向に均一色を発するＬＥＤ光源は、コスト面から現時点では未だ使用されることがほとんどない。よって、色ムラが生じるが、異なる色の光の発光領域の差が大きいＸ方向を、発光装置１が直線状に配置される方向にあわせることで、色ムラの重なる部分が増えるため、面光源７における色ムラを目立ちにくくすることができ、またレンズ３の屈折力の弱い方向も同様に揃えることで、色ムラが抑えられるだけでなく、面光源７の端部においても必要な明るさを確保することができる。また、このような色ムラに関する課題は、本実施形態のように、面光源７の中央部に列状にて発光装置１を配置する構成に起因して生じる課題であり、従来のバックライトのように、液晶表示パネルの側縁部に光源および導光板を配置する構成では、導光板で光が拡散されることから、発生しない。
尚、発光装置１を構成する光源２およびレンズ３については、以下の実施の形態３で詳しく説明する。
【００２７】
（実施の形態２）
ここでは、本発明の実施の形態２に係る面光源７について説明を行う。図５は、面光源７の構成図である。この面光源７は、実施の形態１で説明したように、光源２およびレンズ３を有し液晶表示パネル９の中央部に対向して長辺方向９ｂに沿って列状に配列された複数の発光装置１と、これらの発光装置１を覆うように配置された拡散板４とを備えている。尚、上述のように発光装置１を構成する光源２およびレンズ３については、以下の実施の形態３にて詳しく説明する。
【００２８】
また、面光源７は、図６に示すように、発光装置１を挟んで拡散板４と対向して配置される基板５を備えている。基板５には、各発光装置１のＬＥＤ光源２が実装されている。この光源２を覆ってレンズ３が基板５に設置される。本実施形態では、レンズ３は、その底面３３が支柱５５を介して基板５に接合されている。さらに、基板５上には、光源２を避けながら基板５を覆うように、つまり光源２を露出させながら、基板５を覆うとともに基板５と拡散板４との間に反射シート６が配置されているか、基板５に反射シート６に代わる反射コーティングがされている。尚、反射シート６および反射コーティングは、反射用部材の一例に相当する。また、図１に示すように、反射シート６には、各発光装置１に対応して窓６ａが形成されている。また、レンズ３の底面３３は、必ずしも基板５に支柱５５を介して接合されている必要はなく、基板５に直接的に接合されていてもよい。また、支柱５５が、レンズ３と一体で形成されていてもよい。
【００２９】
発光装置１は、拡散板４の被照射面４ａに光を照射する。拡散板４は、被照射面４ａに照射された光を放射面４ｂから拡散された状態で放射する。個々の発光装置１からは、拡散板４の被照射面４ａに広い範囲で均一化された照度の光が照射され、この光が拡散板４で拡散されることにより、面内での輝度ムラが少ない面光源７ができる。
【００３０】
発光装置１からの光は、拡散板４で散乱されて、発光装置１側へ戻ったり拡散板４を透過したりする。発光装置１側へ戻って反射シート６に入射する光は、反射シート６で反射されて、拡散板４に再度入射する。
【００３１】
（実施の形態３）
ここでは、本発明の実施の形態３に係る発光装置１について、詳しく説明を行う。図７ならびに図８Ａおよび図８Ｂは、発光装置１の構成を示す図である。この発光装置１は、既に説明したように、光源２と、光源２からの光を放射状に拡張するレンズ３とを備え、例えば拡散板４の被照射面４ａに、光軸Ａを中心として略円形状に光を放射するものである。すなわち、光源２からの光の方向性がレンズ３で広げられ、これにより拡散板４の被照射面４ａにおける光軸Ａを中心とする広い範囲が照明される。被照射面４ａの照度分布は、光軸Ａ上が最大で、周囲に行くほど略単調に減少する。
【００３２】
本実施形態では、光源２として、発光素子２２をボンディングし、かつ蛍光体を分散させた透明樹脂２３で発光素子２２を覆うように充填して作られているＬＥＤが採用されている。尚、透明樹脂２３が蛍光体層に相当する。このようなＬＥＤのフラットな表面で発光面２１が構成されている。例えば、発光面２１は、図９Ａに示すように円形状であってもよいし、図９Ｂに示すように四角形状であってもよい。また、図９Ｃに示すように、発光素子２２と、発光素子２２上にドーム状に形成された蛍光体を分散させた透明樹脂２３とで構成されていて、透明樹脂２３の三次元的な表面で発光面２１が構成されていてもよい。
【００３３】
また光源２にボンディングする発光素子２２は、光源の種類によって異なる個数で構成されていてもよい。このとき発光素子２２は、回転対称に配置されていなくてもよい。そのため、本明細書では便宜上、発光面２１は、光軸に直交する第１方向と、光軸および第１方向に直交する第２方向とを有し、第１方向をＸ方向、第２方向をＹ方向とする。
【００３４】
既に実施の形態１でも説明したが、光源２の発光面２１から放射される光は、発光素子２２によって発光した青色の光と、青色の光によって励起された蛍光体からの黄色の光とからなる擬似白色光である。そのため、ニアフィールドにおいて青色と黄色の光の発光面積サイズに差が生じることとなる。また、発光素子２２の配置によっても分布が変わるため、本明細書では、発光素子の配置により分布に異方性がある場合、便宜上、青色と黄色との光の発光面積の差が大きい方をＸ方向、小さい方をＹ方向と定義する。
【００３５】
図１０に、光源２の発光面２１における光軸Ａを通ってＸ方向に延びる線上での輝度分布と、光軸Ａを通ってＹ方向に延びる線上での輝度分布とを、それぞれ色別に示す。尚、図１０において、縦軸は、照度を最大値で規格化したものを示し、横軸は、光軸からの距離（ｍｍ）を示している。図１０に示すように、発光面２１において、黄色の光と青色の光との輝度分布の範囲が異なっている。具体的には、黄色の光の輝度分布が青色の光の輝度分布よりも広がっている。このように、光源２からは、光の色によって輝度分布が異なる光が放射される。よって、本実施形態のように疑似白色光を発生する発光装置１が使用される場合には、色ムラを低減する工夫が必要となる。
【００３６】
レンズ３は、所定の屈折率を有する透明材料で構成される。透明材料の屈折率は、例えば１．４から２．０程度である。このような透明材料としては、エポキシ樹脂、シリコン樹脂、アクリル樹脂、ポリカーボネイト等の樹脂、硝子、またはシリコンゴム等のゴムを用いることができる。中でも、従来からＬＥＤの封止樹脂として用いられているエポキシ樹脂またはシリコンゴム等を用いることが好ましい。
【００３７】
具体的に、レンズ３は、図８Ａに示すように、光源２からの光を該レンズ３内に入射させる入射面３１と、該レンズ３内に入射した光を出射させる出射面３２とを有している。出射面３２の最外径は、レンズ３の有効径を規定する。また、レンズ３は、入射面３１の周囲に位置し光軸方向において出射面３２と反対側に位置する底面３３を有している。この底面３３には、光軸Ａを中心とした円状、あるいは楕円状に反射部３４が設けられている。さらに、本実施形態では、出射面３２と底面３３との間に径方向外側に張り出すリング部３５が設けられている。このリング部３５の断面形状は、略コ字状で、出射面３２の外周縁と底面３３の外周縁とがリング部３５によってつながれている。ただし、リング部３５は省略可能であり、出射面３２の外周縁と底面３３の外周縁とが断面直線状または円弧状の端面でつながれていてもよい。以下に、レンズ３の上述の各構成部分について、さらに詳しく説明する。
【００３８】
入射面３１は、本実施形態では連続する凹面である。そして、光源２は、レンズ３の入射面３１と離れて配置されている。出射面３２は、本実施形態では、光軸Ａに対して回転対称な連続する凸面である。入射面３１を取り巻く環状の底面３３は、フラットであることが好ましい。本実施形態では、光源２の発光面２１が、フラットな底面３３と、光軸Ａが延びる光軸方向において同程度の位置にある。
【００３９】
光源２からの光は、入射面３１からレンズ３内に入射した後に出射面３２から出射されて、例えば上述した拡散板４の被照射面４ａに到達する。光源２から放射される光は、入射面３１および出射面３２の屈折作用で拡張され、被照射面の広い範囲に到達するようになる。
【００４０】
さらに、レンズ３は、上述のように光源２から異なる発光面積で放射される、青色と黄色との光によって生じる被照射面４ａでの色ムラを軽減する役割を果たす。これを実現するために、レンズ３は、Ｘ方向の屈折力と、Ｙ方向の屈折力とが異なるように構成されている。本実施形態では、入射面３１がＸ方向とＹ方向とで湾曲態様が異なるアナモフィックな曲面を含むことにより、Ｘ方向の屈折力とＹ方向の屈折力とが異なるようになっている。
【００４１】
上述のように本実施形態では入射面３１がアナモフィックな曲面を含んで構成しているが、出射面３２がアナモフィックな曲面を含むように構成することもできる。つまり、入射面３１および出射面３２の少なくとも一方がアナモフィックな曲面を含むように構成すればよい。
【００４２】
一方、注意すべき点は、上記屈折力とは、光学系の設計や撮像系の設計で一般的に使用されるレンズ「パワー」の概念、つまり非球面レンズならば光軸近傍でのレンズの曲率が異なるという意味ではない。本明細書及び請求範囲で使用する「屈折力」とは、入射面３１および出射面３２の少なくとも一方は、回転楕円体の表面に相当する形状を有し、光軸Ａに直交する断面の形状は、光軸方向におけるいずれの位置にあっても楕円となる、換言するとＸ方向とＹ方向とで光軸Ａからの距離が異なる、あるいは、光源２からの入射面３１および出射面３２への入射角が同じ光であってもＸ方向とＹ方向とでは入射面３１および出射面３２からの光の放出方向が異なる、つまり配光方向が異なるという形態を意味する。また、このような形態の曲面を、ここでは「アナモフィック」と称している。
【００４３】
詳細には、図８Ａおよび図８Ｂに示すように、入射面３１は、光軸Ａ上に頂点Ｑを有している。そして、入射面３１は、頂点Ｑから入射面３１上の点Ｐまでの光軸Ａに沿った距離（すなわち、光軸方向の距離）をサグ量（符号は頂点Ｑから光源２側が負、頂点Ｑから光源２と反対側が正）としたときに、光軸Ａから径方向に同じ距離Ｒだけ離れた位置（すなわち、光軸Ａを中心とする同一円周上）では、Ｘ方向におけるサグ量ｓａｇＡＸと、Ｙ方向におけるサグ量ｓａｇＡＹとが異なる、形状を有している。なお、入射面３１は、サグ量が光軸Ａの近傍ではプラスとなるように頂点Ｑからいったん光源２の反対側に後退した後に、光源２側に延びていてもよい。
【００４４】
以上のような発光装置１であれば、光源２によって生じる色ムラは、レンズ３によって低減される。従って、相対的に小さなレンズ３を用いながらも、光源２の特性である色ムラを軽減して放射することができる。
【００４５】
また、上述の色ムラを低減するため、既に実施の形態１において、レンズ３の屈折力の弱い方向に発光装置１の配列方向を揃えるのが好ましい旨を説明した。この説明内容を、上述の「屈折力」の意味によって換言すると、レンズ３の屈折力の弱い方向とは、光軸に直交する、レンズ３の断面形状において光軸からの距離が長い方向に対応する。また、レンズ３の断面形状とは、入射面３１及び出射面３２の少なくとも一方における断面形状に相当する。また、上述の色ムラを低減するため、実施の形態１では、異なる色の光の発光領域の差が大きい方向を、発光装置１の配置方向に合わせるのが好ましいことも説明した。この説明内容を、上述の「屈折力」の意味によって換言すると、異なる色の光の発光領域の差が大きい方向と、レンズ３の断面形状において光軸からの距離が長い方向とを一致あるいは略一致させるのが好ましいということになる。
【実施例１】
【００４６】
以下、本発明の具体的な数値例として、発光装置１の実施例１を示す。【００４７】
図１１は、実施例１の発光装置１の断面図である。実施例１は、入射面３１の全面がアナモフィックな曲面であり、出射面３２が回転対称なレンズ３が採用されている。【００４８】
なお、図１１中のＱ、Ｐ、ｓａｇＡＸ（ｓａｇＡＹ）は、図８Ａおよび図８Ｂ中に示したものと同じである。また、図１１中のｓａｇＢは、光軸Ａから距離Ｒ離れた位置での出射面３２のサグ量である。【００４９】
・実施例１
実施例１において、光源２は、発光面２１の大きさが、おおよそφ３．０ｍｍの汎用品のＬＥＤを採用し、光源２からの光の方向性を広げ、色ムラを抑えることを目的としている。実施例１において、レンズ３の有効径は、２０．７ｍｍとなっている。また、光軸中心でのレンズの厚みが１．２ｍｍとなっている。実施例１の具体的な数値を表１に示す。【００５０】
【表１】
2012164791.tif 000003
【００５１】
図１２Ａは、表１の、Ｘ軸、Ｙ軸の値（Ｒ）と、ｓａｇＡＸおよびｓａｇＡＹとについて、グラフ化したものであり、図１２Ｂは、表１の、Ｘ軸、Ｙ軸の値（Ｒ）と、ｓａｇＢとについてグラフ化したものである。【００５２】
図１３は、実施例１の発光装置１を用い、光源２の発光面２１から光軸方向において３５ｍｍ離れた位置に、拡散板４の被照射面４ａを配置したときの、被照射面４ａでの照度分布を表す。尚、図１３において、縦軸は、照度を最大値で規格化したものを示し、横軸は、光軸からの距離（ｍｍ）を示している。【００５３】
図１４は、実施例１に係る発光装置１の効果を確認するための、レンズ３を用いずにＬＥＤのみで面光源を構成したときの照度分布を表す。【００５４】
図１５は、実施例１と同様の構成の発光装置を用い、光源２の発光面２１から光軸方向において３５ｍｍ離れた位置に、拡散板４の被照射面４ａを配置したときの、レンズ３の入射面３１を、光軸を中心に回転対称の曲面で構成した場合の、被照射面４ａでの照度分布を表す。【００５５】
図１６は、実施例１の発光装置１を用い、光源２の発光面２１から光軸方向において３５ｍｍ離れた位置に、拡散板４の被照射面４ａを配置したときの、被照射面４ａでの色度Ｙ値の分布を表す。尚、図１６において、縦軸は、照度を最大値で規格化したものを示し、横軸は、光軸からの距離（ｍｍ）を示している。【００５６】
図１７は、実施例１と同様の構成の発光装置を用い、光源２の発光面２１から光軸方向において３５ｍｍ離れた位置に被照射面４ａを配置したときの、レンズ３の入射面３１を、光軸を中心に回転対称の曲面で構成した場合の、被照射面４ａでの色度Ｙ値の分布を表す。【００５７】
図１６と図１７とから分かるように、レンズ３の入射面３１をアナモフィック非球面にすることにより、被照射面４ａにおける色ムラが軽減されていることが確認できる。【００５８】
図１８は、光源２の端面付近から光軸Ａに対して大きな角度で出射され、入射面３１に到達する光線の光路６１を示す。光源２から出射した光は、入射面３１を屈折しながら透過し、その後に出射面３２に到達する。到達した光は、出射面３２を屈折しながら透過し、その後に拡散板４の被照射面４ａに到達する。図１８において、光源２の発光面２１の最大幅をＤ、レンズ３の中心厚をｔとするとき、以下の式（１）を満足することが好ましい。尚、発光面２１の最大幅Ｄとは、平面視において発光面２１が円形の場合には直径が相当し、角形の場合には対角距離が相当する。
０．３＜Ｄ／ｔ＜３．０・・・（１）
このような条件を満足させることにより、光源２のサイズが変化することによって変動するフレネル反射成分が少なくなる。一方、式（１）の下限を超えると、レンズ３のサイズ（例えば光軸方向の長さ）が大きくなり、上限を超えると、上述のフレネル反射成分が発生し易くなる。【００５９】
また、光源２の発光面２１の最大幅をＤ、レンズ３の有効径をＤｅとするとき、以下の式（２）を満足することが好ましい。
０．０３＜Ｄ／Ｄｅ＜０．３・・・（２）
このような条件を満足させることにより、光源２のサイズが変化することによって同時に変動するフレネル反射成分が少なくなる。また、式（２）の下限を超えると、レンズ３のサイズ（例えば光軸と垂直方向の長さ）が大きくなり、上限を超えると、上述のフレネル反射成分が発生し易くなる。【００６０】
ところで、出射面３２が凹面であるレンズ３を用いた場合、光源２から出射した光は、入射面３１を屈折しながら透過し、その後に出射面３２に到達する。到達した光の一部は、出射面３２でフレネル反射をおこし、レンズ３の底面３３で屈折したのち、基板５に向かう。光は、基板５で拡散反射され、底面３３で再び屈折したのち、出射面３２で屈折しながら透過し、その後に拡散板４の被照射面４ａに到達することとなる。このようなフレネル反射しやすい形状では、光源２のサイズが変化すると、フレネル反射成分の影響が変化するために、被照射面４ａにおける照度分布が大きく変化するので、光源２のサイズに制約を受ける。【００６１】
これに対し、本実施の形態によるレンズ３では、フレネル反射は発生し難いので、フレネル反射の影響を低減することができ、光源２のサイズや形状の制約を緩和できる。【００６２】
図１９は、入射面３１の全面がアナモフィックな曲面であるレンズ３を採用した実施例１の発光装置１を、２４ｍｍピッチでＸ方向に一直線上に２５個、Ｙ方向に２個配置し、光源２の発光面２１から光軸方向において３５ｍｍ離れた位置に、拡散板４の被照射面４ａを配置したときの、被照射面４ａでの照度分布を表す。尚、図１９において、縦軸は、照度を最大値で規格化したものを示し、横軸は、光軸からの距離（ｍｍ）を示している。【００６３】
図２０は、レンズ３を用いずにＬＥＤ光源のみを２４ｍｍピッチでＸ方向に一直線上に２５個、Ｙ方向に２個配置し、光源２の発光面２１から光軸方向において３５ｍｍ離れた位置に、拡散板４の被照射面４ａを配置したときの、被照射面４ａでの照度分布を表す。【００６４】
図１９と図２０とを比較すると、レンズ３の効果で被照射面４ａにおいて、より均一に照明ができていることがわかる。【００６５】
なお、上記様々な実施形態のうちの任意の実施形態を適宜組み合わせることにより、それぞれの有する効果を奏するようにすることができる。
本発明は、添付図面を参照しながら好ましい実施形態に関連して充分に記載されているが、この技術の熟練した人々にとっては種々の変形や修正は明白である。そのような変形や修正は、添付した請求の範囲による本発明の範囲から外れない限りにおいて、その中に含まれると理解されるべきである。
又、２０１１年５月３１日に出願された、日本国特許出願Ｎｏ．特願２０１１−１２１３７２号の明細書、図面、特許請求の範囲、及び要約書の開示内容の全ては、参考として本明細書中に編入されるものである。
【産業上の利用可能性】
【００６６】
以上のように本発明によれば、色ムラの少ない十分な明るさの面光源を提供する上で有用な発明である。
【符号の説明】
【００６７】
１  発光装置
２  光源
３  レンズ
４  拡散板
５  基板
６  反射シートないし反射コーティング膜
７  面光源
８  光学シート積層体
９  液晶表示パネル
１０  筐体
２１  発光面
２２  発光素子
２３  蛍光体を分散させた透明樹脂
３１  入射面
３２  出射面
３３  底面
３４  反射部
３５  リング部
【図１】
2012164791.tif 000004
【図２】
2012164791.tif 000005
【図３】
2012164791.tif 000006
【図４】
2012164791.tif 000007
【図５】
2012164791.tif 000008
【図６】
2012164791.tif 000009
【図７】
2012164791.tif 000010
【図８Ａ】
2012164791.tif 000011
【図８Ｂ】
2012164791.tif 000012
【図９Ａ】
2012164791.tif 000013
【図９Ｂ】
2012164791.tif 000014
【図９Ｃ】
2012164791.tif 000015
【図１０】
2012164791.tif 000016
【図１１】
2012164791.tif 000017
【図１２Ａ】
2012164791.tif 000018
【図１２Ｂ】
2012164791.tif 000019
【図１３】
2012164791.tif 000020
【図１４】
2012164791.tif 000021
【図１５】
2012164791.tif 000022
【図１６】
2012164791.tif 000023
【図１７】
2012164791.tif 000024
【図１８】
2012164791.tif 000025
【図１９】
2012164791.tif 000026
【図２０】
2012164791.tif 000027
【手続補正書】
【提出日】平成24年12月21日(2012.12.21)
【手続補正１】
【補正対象書類名】明細書
【補正対象項目名】全文
【補正方法】変更
【補正の内容】
【発明の詳細な説明】
【技術分野】
【０００１】
本発明は、例えば発光ダイオード（以下単に「ＬＥＤ」という。）等の光源からの光の方向性をレンズで広げる面光源に関する。また、本発明は、この面光源がバックライトとして液晶パネル後方に配置された液晶ディスプレイ装置に関する。
【背景技術】
【０００２】
従来の大型の液晶ディスプレイ装置のバックライトでは、冷陰極管が液晶パネル直下に多数配置され、これらの冷陰極管が拡散板や反射板等の部材と共に使われていた。近年では、バックライトの光源としてＬＥＤが使用されるようになっている。ＬＥＤは、近年、発光効率が向上し、蛍光灯に変わる消費電力の少ない光源として期待されている。また、液晶ディスプレイ装置用の光源としては、映像に応じてＬＥＤの明暗を制御することで液晶ディスプレイ装置の消費電力を下げることができる。
【０００３】
液晶ディスプレイ装置において、ＬＥＤを光源とするバックライトでは、冷陰極管の代わりに多数のＬＥＤを配置することとなる。多数のＬＥＤを用いることで、バックライト表面に均一な明るさを得ることができるが、多数のＬＥＤが必要なことから、安価にできない問題があった。この欠点を解決すべく、１個のＬＥＤの出力を大きくし、使用するＬＥＤの個数を減らす取り組みがなされている。例えば特許文献１では、少ない個数のＬＥＤでも均一な輝度の面光源が得られるようにする発光装置が提案されている。
【０００４】
少ない個数のＬＥＤで均一な輝度の面光源を得るためには、１個のＬＥＤで照明可能な照明領域を大きくする必要がある。このために特許文献１の発光装置では、ＬＥＤからの光をレンズで放射状に拡張している。これにより、ＬＥＤからの光の方向性が広げられ、被照射面において、ＬＥＤの光軸を中心とする広い範囲を照明することができる。具体的には、特許文献１の発光装置に用いられるレンズは、平面視で円形状をなしており、光入射面と光制御出射面とが共に光軸に対して回転対称な形状である。ここで、光入射面は、凹面にて形成され、光制御出射面は、光軸近傍部分が凹面で光軸近傍部分の外側部分が凸面にて形成されている。
【０００５】
一方、特許文献２には、光出射面の中央に、光軸と直交する方向に延びるＶ溝が形成されたレンズを用いた発光装置が開示されている。この発光装置のレンズによれば、ＬＥＤからの光は、Ｖ溝が延びる方向（縦方向）には、正規分布の角度分布を保ったまま拡張されるが、Ｖ溝が延びる方向と直交する方向（横方向）には、角度分布が光軸近傍では大きく窪み、その両側では急峻に立ち上がるように拡張される。
【先行技術文献】
【特許文献】
【０００６】
【特許文献１】特開２００６−９２９８３号公報
【特許文献２】特開２００８−１０６９３号公報
【発明の概要】
【発明が解決しようとする課題】
【０００７】
近年の白色ＬＥＤは、青色ＬＥＤ素子に、ＹＡＧ系やＴＡＧ系などの蛍光体を設けて、疑似白色光を生成するものが主流となっている。このような光源は、パッケージに青色ＬＥＤ素子をボンディングし、青色ＬＥＤ素子を覆うように蛍光体を分散させた透明樹脂を充填して作られている。
【０００８】
このような光源は、青色ＬＥＤ素子による青色の光と、青色の光により励起された蛍光体が発光して作る黄色の光とで擬似白色の光を得ているため、青色の発光面サイズと、黄色の発光面のサイズとが異なる。そのため、このようなＬＥＤの光を、特許文献１にあるようなレンズを用いて広げた場合、色によって光の広がりに差が生じ、光源からの光が照射される面光源内の被照射面において色ムラが生じてしまうことになる。また、この色ムラは、光を広げるパワーが強いレンズほど顕著になる傾向にある。
【０００９】
ＬＥＤの発光効率が向上しつつある近年においては、光源１つあたりの、上記被照射面における照射面積を広げ、なおかつ、輝度及び色が共に均一化された、低コストで省エネルギーの面光源が望まれる。
【００１０】
なお、特許文献２の発光装置は、放射する光に意図的に異方性を作り出すものであるため、上述の要望を満たすものではない。
【００１１】
本発明は、上述の要望に鑑み、光を広げる力のある広配光レンズを用いながら、光源が持っている異なる色の光によって生じる被照射面の色ムラを軽減することができ、輝度及び色が共に均一化された面光源、および液晶ディスプレイ装置を提供することを目的とする。
【課題を解決するための手段】
【００１２】
上記目的を達成するため、本発明は以下のように構成する。
即ち、本発明の第１態様における面光源は、列状に配置された複数の発光装置と、前記複数の発光装置を覆うように配置され、前記複数の発光装置から被照射面に照射された光を放射面から拡散した状態で放射する拡散板とを備える。前記複数の発光装置のそれぞれは、光軸を中心として光を放射する発光装置であって、発光素子と前記発光素子を覆い、蛍光体を分散させた樹脂とを有する光源と、前記光源からの光を放射状に拡張するレンズとを有する。前記レンズは、前記光軸と直交する第１方向と、前記光軸および前記第１方向に直交する第２方向とにおける屈折力が異なる。
【００１３】
さらに本発明は、液晶パネルと、前記液晶パネルの裏側に配置された上述の面光源と、を備える液晶ディスプレイ装置に関する。
【発明の効果】
【００１４】
上述の構成によれば、発光装置におけるレンズは、前記光軸と直交する第１方向のレンズの屈折力と、光軸および第１方向と直交する第２方向のレンズの屈折力とを異ならせることで、レンズの出射面側で生じる光の全反射成分が低減される。従って、本発明によれば、光を広げるパワーの強いレンズを用いながらも、光源が持っている色の異なる光によって生じる被照射面の色ムラを軽減することができる。
【図面の簡単な説明】
【００１５】
【図１】本発明の実施の形態１に係る液晶ディスプレイ装置の構成図、
【図２】図１のIIＡ（Ｘ）−IIＡ（Ｘ）にて切断した断面図、
【図３】図１に示す面光源の発光装置を示す平面図、
【図４】発光装置の配列の一例を示す平面図、
【図５】本発明の実施の形態２に係る面光源の構成図、
【図６】図５の面光源の部分的な断面図、
【図７】本発明の実施の形態３に係る発光装置の平面図、
【図８Ａ】図７のIIＡ−IIＡ線における断面図、
【図８Ｂ】図７のIIＢ−IIＢ線における断面図、
【図９Ａ】図７に示す光源の具体例を示す斜視図、
【図９Ｂ】図７に示す光源の具体例を示す斜視図、
【図９Ｃ】図７に示す光源の具体例を示す斜視図、
【図１０】図７の発光装置に用いられる光源の発光面の輝度分布を示すグラフ、
【図１１】実施例１に係る発光装置の説明図、
【図１２Ａ】実施例１の発光装置に用いられるレンズの入射面形状を表す、ＲとｓａｇＡＸ，ｓａｇＡＹの関係を示すグラフ（表１をグラフ化）、
【図１２Ｂ】実施例１の発光装置に用いられるレンズの入射面形状を表す、ＲとｓａｇＢの関係を示すグラフ（表１をグラフ化）、
【図１３】実施例１の発光装置の照度分布を示すグラフ、
【図１４】実施例１に係る発光装置の効果を確認するための、ＬＥＤのみで面光源を構成したときの照度分布を示すグラフ、
【図１５】レンズの入射面が回転対称となった以外は実施例１と同様の構成の発光装置の照度分布を示すグラフ、
【図１６】実施例１の色度Ｙ値の分布を示すグラフ、
【図１７】レンズの入射面が回転対称となった以外は実施例１と同様の構成の発光装置の色度Ｙ値の分布を示すグラフ、
【図１８】実施例１の発光装置の光路図、
【図１９】実施例１の面光源の照度分布を示すグラフ、
【図２０】光源のみの照度分布を示すグラフ。
【発明を実施するための形態】
【００１６】
以下、本発明の一実施の形態による面光源およびその面光源を用いた液晶ディスプレイ装置について、図面を参照しながら説明する。尚、各図において、同一又は同様の構成部分については同じ符号を付している。
【００１７】
（実施の形態１）
図１は、本発明の実施の形態１に係る液晶ディスプレイ装置１０１の全体の概略構成を示す分解斜視図である。また、図２は、図１のIIＡ（Ｘ）−IIＡ（Ｘ）線で切断した断面図である。
【００１８】
図１、図２に示すように、液晶ディスプレイ装置１０１は、長方形の平板形状で透過型の液晶表示パネル９と、この液晶表示パネル９の背面９ａ側（反表示面側）に配置され、液晶表示パネル９に対応する大きさの直方体形状の面光源７とを備えて構成されている。ここで面光源７は、液晶表示パネル９のバックライトとして機能するもので、光源としてＬＥＤを使用する。
【００１９】
面光源７は、液晶表示パネル９の長辺方向９ｂに沿って液晶表示パネル９の中央部と対向するように直線状に配置された複数の発光装置１と、この発光装置１を収容する直方体形状の筐体１０と、この筐体１０の開口部１０ａを覆うように配置されるとともに、前記液晶表示パネル９と発光装置１との間に配置される拡散板４と、筐体１０内に配置され、前記発光装置１から出射した光を液晶表示パネル９の背面９ａ側、すなわち拡散板４側に反射させる反射シート６とを備えている。尚、拡散板４は、発光装置１の光軸に直交して延在する。反射シート６は、本実施形態では、液晶表示パネル９の長辺方向９ｂに沿って湾曲した反射面が連続する円弧状のシート材で構成され、長辺方向９ｂにおける両端部には、面光源７の外側へ反った側板が設けられており、短辺方向に沿っても円弧ないし傾斜を有する。尚、反射シート６の形状は、本実施形態のような円弧状に限定するものではない。また、発光装置１は、後述の実施形態で詳しく説明するが、ＬＥＤ光源２と、光源２を覆って配置されるレンズ３とを有する。
【００２０】
拡散板４は、液晶表示パネル９の背面９ａに対面する放射面４ｂ（図６）、つまり光を放出する面に、液晶表示パネル９に対応する大きさの光学シート積層体８を備えている。尚、放射面４ｂに対向する、拡散板４の被照射面４ａ（図６）は、発光装置１からの光が照射される面である。この光学シート積層体８は、例えば、拡散板４からの入射光を前方の液晶表示パネル９側に向けて集光させるプリズムシート、拡散板４からの入射光をさらに拡散させる拡散シート、入射光の偏光面が液晶表示パネル９の偏光面に対応するように特定の偏光面を有する光を透過させる偏光シート等により構成されている。また、本実施の形態においては、発光装置１が液晶表示パネル９の中央部に対向するように直線状に配置されることにより、発光装置１は、面光源７のほぼ中央部のみに配置されることとなる。
【００２１】
図３は、面光源７の発光装置１を示す平面図である。
【００２２】
発光装置１は、裏面側に所定の配線パターンを形成した短冊形状の絶縁性の基板５の表面上に、所定の間隔で配置される。
【００２３】
本実施の形態において、複数の発光装置１は、図４の（ａ）に示され上述したように、液晶表示パネル９および拡散板４の中央部に長辺方向９ｂに沿って直線状に２列に配置されている。なお、図４の（ａ）に示す例においては、複数個の発光装置１は、隣り合う列間において、千鳥状に配列しているが、千鳥状に配列しないで、隣り合う列間において、同じ位置になるように配列してもよい。また、配列する列数は、中央部に直線状に配置されていれば、１列（図４の（ｂ））でも３列でも良い。
【００２４】
このように面光源７において、発光装置１を中央部に直線状に複数個配置することにより、それぞれのレンズ列による輝度分布が交互に重なり、輝度分布のムラを減少させることができる。また、このような構成とすることにより、面光源７として十分な明るさを確保し、しかも少ない個数の光源２とレンズ３で構成することができ、安価に装置を構成することができる。
【００２５】
ところで、図１、図２に示すように、液晶表示パネル９の中央部と対向するように一列に直線状に複数の発光装置１を配置して構成した場合、本発明者らが実験により確認したところでは、面光源７の端部において、拡散板４から出射される光が少なく、十分な明るさを確保しにくくなる。このような場合は、出力が大きい光源２を使用すればよいが、価格が高くなってしまう。一方、液晶ディスプレイ装置１０１としては、画面の中央部が周辺部に比べてより明るいことが要求される。そのため、発光装置１の配置のピッチは、一定ではなく、画面中心部から周辺にかけて、密、疎、密となるように配置されることが望ましい。このように配置することで、画面中央部に十分な明るさを持ちながら、端部まで必要な明るさを確保した、輝度分布ムラの少ない面光源７を構成することができる。
【００２６】
また、ＬＥＤ光源２は、青色光を発する発光素子をＹＡＧ系やＴＡＧ系などの蛍光体で封止することで疑似白色光を生成していることから、全方向に均一色を発するＬＥＤ光源は、コスト面から現時点では未だ使用されることがほとんどない。よって、色ムラが生じるが、異なる色の光の発光領域の差が大きいＸ方向を、発光装置１が直線状に配置される方向にあわせることで、色ムラの重なる部分が増えるため、面光源７における色ムラを目立ちにくくすることができ、またレンズ３の屈折力の弱い方向も同様に揃えることで、色ムラが抑えられるだけでなく、面光源７の端部においても必要な明るさを確保することができる。また、このような色ムラに関する課題は、本実施形態のように、面光源７の中央部に列状にて発光装置１を配置する構成に起因して生じる課題であり、従来のバックライトのように、液晶表示パネルの側縁部に光源および導光板を配置する構成では、導光板で光が拡散されることから、発生しない。
尚、発光装置１を構成する光源２およびレンズ３については、以下の実施の形態３で詳しく説明する。
【００２７】
（実施の形態２）
ここでは、本発明の実施の形態２に係る面光源７について説明を行う。図５は、面光源７の構成図である。この面光源７は、実施の形態１で説明したように、光源２およびレンズ３を有し液晶表示パネル９の中央部に対向して長辺方向９ｂに沿って列状に配列された複数の発光装置１と、これらの発光装置１を覆うように配置された拡散板４とを備えている。尚、上述のように発光装置１を構成する光源２およびレンズ３については、以下の実施の形態３にて詳しく説明する。
【００２８】
また、面光源７は、図６に示すように、発光装置１を挟んで拡散板４と対向して配置される基板５を備えている。基板５には、各発光装置１のＬＥＤ光源２が実装されている。この光源２を覆ってレンズ３が基板５に設置される。本実施形態では、レンズ３は、その底面３３が支柱５５を介して基板５に接合されている。さらに、基板５上には、光源２を避けながら基板５を覆うように、つまり光源２を露出させながら、基板５を覆うとともに基板５と拡散板４との間に反射シート６が配置されているか、基板５に反射シート６に代わる反射コーティングがされている。尚、反射シート６および反射コーティングは、反射用部材の一例に相当する。また、図１に示すように、反射シート６には、各発光装置１に対応して窓６ａが形成されている。また、レンズ３の底面３３は、必ずしも基板５に支柱５５を介して接合されている必要はなく、基板５に直接的に接合されていてもよい。また、支柱５５が、レンズ３と一体で形成されていてもよい。
【００２９】
発光装置１は、拡散板４の被照射面４ａに光を照射する。拡散板４は、被照射面４ａに照射された光を放射面４ｂから拡散された状態で放射する。個々の発光装置１からは、拡散板４の被照射面４ａに広い範囲で均一化された照度の光が照射され、この光が拡散板４で拡散されることにより、面内での輝度ムラが少ない面光源７ができる。
【００３０】
発光装置１からの光は、拡散板４で散乱されて、発光装置１側へ戻ったり拡散板４を透過したりする。発光装置１側へ戻って反射シート６に入射する光は、反射シート６で反射されて、拡散板４に再度入射する。
【００３１】
（実施の形態３）
ここでは、本発明の実施の形態３に係る発光装置１について、詳しく説明を行う。図７ならびに図８Ａおよび図８Ｂは、発光装置１の構成を示す図である。この発光装置１は、既に説明したように、光源２と、光源２からの光を放射状に拡張するレンズ３とを備え、例えば拡散板４の被照射面４ａに、光軸Ａを中心として略円形状に光を放射するものである。すなわち、光源２からの光の方向性がレンズ３で広げられ、これにより拡散板４の被照射面４ａにおける光軸Ａを中心とする広い範囲が照明される。被照射面４ａの照度分布は、光軸Ａ上が最大で、周囲に行くほど略単調に減少する。
【００３２】
本実施形態では、光源２として、発光素子２２をボンディングし、かつ蛍光体を分散させた透明樹脂２３で発光素子２２を覆うように充填して作られているＬＥＤが採用されている。尚、透明樹脂２３が蛍光体層に相当する。このようなＬＥＤのフラットな表面で発光面２１が構成されている。例えば、発光面２１は、図９Ａに示すように円形状であってもよいし、図９Ｂに示すように四角形状であってもよい。また、図９Ｃに示すように、発光素子２２と、発光素子２２上にドーム状に形成された蛍光体を分散させた透明樹脂２３とで構成されていて、透明樹脂２３の三次元的な表面で発光面２１が構成されていてもよい。
【００３３】
また光源２にボンディングする発光素子２２は、光源の種類によって異なる個数で構成されていてもよい。このとき発光素子２２は、回転対称に配置されていなくてもよい。そのため、本明細書では便宜上、発光面２１は、光軸に直交する第１方向と、光軸および第１方向に直交する第２方向とを有し、第１方向をＸ方向、第２方向をＹ方向とする。
【００３４】
既に実施の形態１でも説明したが、光源２の発光面２１から放射される光は、発光素子２２によって発光した青色の光と、青色の光によって励起された蛍光体からの黄色の光とからなる擬似白色光である。そのため、ニアフィールドにおいて青色と黄色の光の発光面積サイズに差が生じることとなる。また、発光素子２２の配置によっても分布が変わるため、本明細書では、発光素子の配置により分布に異方性がある場合、便宜上、青色と黄色との光の発光面積の差が大きい方をＸ方向、小さい方をＹ方向と定義する。
【００３５】
図１０に、光源２の発光面２１における光軸Ａを通ってＸ方向に延びる線上での輝度分布と、光軸Ａを通ってＹ方向に延びる線上での輝度分布とを、それぞれ色別に示す。尚、図１０において、縦軸は、照度を最大値で規格化したものを示し、横軸は、光軸からの距離（ｍｍ）を示している。図１０に示すように、発光面２１において、黄色の光と青色の光との輝度分布の範囲が異なっている。具体的には、黄色の光の輝度分布が青色の光の輝度分布よりも広がっている。このように、光源２からは、光の色によって輝度分布が異なる光が放射される。よって、本実施形態のように疑似白色光を発生する発光装置１が使用される場合には、色ムラを低減する工夫が必要となる。
【００３６】
レンズ３は、所定の屈折率を有する透明材料で構成される。透明材料の屈折率は、例えば１．４から２．０程度である。このような透明材料としては、エポキシ樹脂、シリコン樹脂、アクリル樹脂、ポリカーボネイト等の樹脂、硝子、またはシリコンゴム等のゴムを用いることができる。中でも、従来からＬＥＤの封止樹脂として用いられているエポキシ樹脂またはシリコンゴム等を用いることが好ましい。
【００３７】
具体的に、レンズ３は、図８Ａに示すように、光源２からの光を該レンズ３内に入射させる入射面３１と、該レンズ３内に入射した光を出射させる出射面３２とを有している。出射面３２の最外径は、レンズ３の有効径を規定する。また、レンズ３は、入射面３１の周囲に位置し光軸方向において出射面３２と反対側に位置する底面３３を有している。この底面３３には、光軸Ａを中心とした円状、あるいは楕円状に反射部３４が設けられている。さらに、本実施形態では、出射面３２と底面３３との間に径方向外側に張り出すリング部３５が設けられている。このリング部３５の断面形状は、略コ字状で、出射面３２の外周縁と底面３３の外周縁とがリング部３５によってつながれている。ただし、リング部３５は省略可能であり、出射面３２の外周縁と底面３３の外周縁とが断面直線状または円弧状の端面でつながれていてもよい。以下に、レンズ３の上述の各構成部分について、さらに詳しく説明する。
【００３８】
入射面３１は、本実施形態では連続する凹面である。そして、光源２は、レンズ３の入射面３１と離れて配置されている。出射面３２は、本実施形態では、光軸Ａに対して回転対称な連続する凸面である。入射面３１を取り巻く環状の底面３３は、フラットであることが好ましい。本実施形態では、光源２の発光面２１が、フラットな底面３３と、光軸Ａが延びる光軸方向において同程度の位置にある。
【００３９】
光源２からの光は、入射面３１からレンズ３内に入射した後に出射面３２から出射されて、例えば上述した拡散板４の被照射面４ａに到達する。光源２から放射される光は、入射面３１および出射面３２の屈折作用で拡張され、被照射面の広い範囲に到達するようになる。
【００４０】
さらに、レンズ３は、上述のように光源２から異なる発光面積で放射される、青色と黄色との光によって生じる被照射面４ａでの色ムラを軽減する役割を果たす。これを実現するために、レンズ３は、Ｘ方向の屈折力と、Ｙ方向の屈折力とが異なるように構成されている。本実施形態では、入射面３１がＸ方向とＹ方向とで湾曲態様が異なるアナモフィックな曲面を含むことにより、Ｘ方向の屈折力とＹ方向の屈折力とが異なるようになっている。
【００４１】
上述のように本実施形態では入射面３１がアナモフィックな曲面を含んで構成しているが、出射面３２がアナモフィックな曲面を含むように構成することもできる。つまり、入射面３１および出射面３２の少なくとも一方がアナモフィックな曲面を含むように構成すればよい。
【００４２】
一方、注意すべき点は、上記屈折力とは、光学系の設計や撮像系の設計で一般的に使用されるレンズ「パワー」の概念、つまり非球面レンズならば光軸近傍でのレンズの曲率が異なるという意味ではない。本明細書及び請求範囲で使用する「屈折力」とは、入射面３１および出射面３２の少なくとも一方は、回転楕円体の表面に相当する形状を有し、光軸Ａに直交する断面の形状は、光軸方向におけるいずれの位置にあっても楕円となる、換言するとＸ方向とＹ方向とで光軸Ａからの距離が異なる、あるいは、光源２からの入射面３１および出射面３２への入射角が同じ光であってもＸ方向とＹ方向とでは入射面３１および出射面３２からの光の放出方向が異なる、つまり配光方向が異なるという形態を意味する。また、このような形態の曲面を、ここでは「アナモフィック」と称している。
【００４３】
詳細には、図８Ａおよび図８Ｂに示すように、入射面３１は、光軸Ａ上に頂点Ｑを有している。そして、入射面３１は、頂点Ｑから入射面３１上の点Ｐまでの光軸Ａに沿った距離（すなわち、光軸方向の距離）をサグ量（符号は頂点Ｑから光源２側が負、頂点Ｑから光源２と反対側が正）としたときに、光軸Ａから径方向に同じ距離Ｒだけ離れた位置（すなわち、光軸Ａを中心とする同一円周上）では、Ｘ方向におけるサグ量ｓａｇＡＸと、Ｙ方向におけるサグ量ｓａｇＡＹとが異なる、形状を有している。なお、入射面３１は、サグ量が光軸Ａの近傍ではプラスとなるように頂点Ｑからいったん光源２の反対側に後退した後に、光源２側に延びていてもよい。
【００４４】
以上のような発光装置１であれば、光源２によって生じる色ムラは、レンズ３によって低減される。従って、相対的に小さなレンズ３を用いながらも、光源２の特性である色ムラを軽減して放射することができる。
【００４５】
また、上述の色ムラを低減するため、既に実施の形態１において、レンズ３の屈折力の弱い方向に発光装置１の配列方向を揃えるのが好ましい旨を説明した。この説明内容を、上述の「屈折力」の意味によって換言すると、レンズ３の屈折力の弱い方向とは、光軸に直交する、レンズ３の断面形状において光軸からの距離が長い方向に対応する。また、レンズ３の断面形状とは、入射面３１及び出射面３２の少なくとも一方における断面形状に相当する。また、上述の色ムラを低減するため、実施の形態１では、異なる色の光の発光領域の差が大きい方向を、発光装置１の配置方向に合わせるのが好ましいことも説明した。この説明内容を、上述の「屈折力」の意味によって換言すると、異なる色の光の発光領域の差が大きい方向と、レンズ３の断面形状において光軸からの距離が長い方向とを一致あるいは略一致させるのが好ましいということになる。
【実施例１】
【００４６】
以下、本発明の具体的な数値例として、発光装置１の実施例１を示す。
【００４７】
図１１は、実施例１の発光装置１の断面図である。実施例１は、入射面３１の全面がアナモフィックな曲面であり、出射面３２が回転対称なレンズ３が採用されている。
【００４８】
なお、図１１中のＱ、Ｐ、ｓａｇＡＸ（ｓａｇＡＹ）は、図８Ａおよび図８Ｂ中に示したものと同じである。また、図１１中のｓａｇＢは、光軸Ａから距離Ｒ離れた位置での出射面３２のサグ量である。
【００４９】
・実施例１
実施例１において、光源２は、発光面２１の大きさが、おおよそφ３．０ｍｍの汎用品のＬＥＤを採用し、光源２からの光の方向性を広げ、色ムラを抑えることを目的としている。実施例１において、レンズ３の有効径は、２０．７ｍｍとなっている。また、光軸中心でのレンズの厚みが１．２ｍｍとなっている。実施例１の具体的な数値を表１に示す。
【００５０】
【表１】
2012164791.tif 000028
【００５１】
図１２Ａは、表１の、Ｘ軸、Ｙ軸の値（Ｒ）と、ｓａｇＡＸおよびｓａｇＡＹとについて、グラフ化したものであり、図１２Ｂは、表１の、Ｘ軸、Ｙ軸の値（Ｒ）と、ｓａｇＢとについてグラフ化したものである。
【００５２】
図１３は、実施例１の発光装置１を用い、光源２の発光面２１から光軸方向において３５ｍｍ離れた位置に、拡散板４の被照射面４ａを配置したときの、被照射面４ａでの照度分布を表す。尚、図１３において、縦軸は、照度を最大値で規格化したものを示し、横軸は、光軸からの距離（ｍｍ）を示している。
【００５３】
図１４は、実施例１に係る発光装置１の効果を確認するための、レンズ３を用いずにＬＥＤのみで面光源を構成したときの照度分布を表す。
【００５４】
図１５は、実施例１と同様の構成の発光装置を用い、光源２の発光面２１から光軸方向において３５ｍｍ離れた位置に、拡散板４の被照射面４ａを配置したときの、レンズ３の入射面３１を、光軸を中心に回転対称の曲面で構成した場合の、被照射面４ａでの照度分布を表す。
【００５５】
図１６は、実施例１の発光装置１を用い、光源２の発光面２１から光軸方向において３５ｍｍ離れた位置に、拡散板４の被照射面４ａを配置したときの、被照射面４ａでの色度Ｙ値の分布を表す。尚、図１６において、縦軸は、照度を最大値で規格化したものを示し、横軸は、光軸からの距離（ｍｍ）を示している。
【００５６】
図１７は、実施例１と同様の構成の発光装置を用い、光源２の発光面２１から光軸方向において３５ｍｍ離れた位置に被照射面４ａを配置したときの、レンズ３の入射面３１を、光軸を中心に回転対称の曲面で構成した場合の、被照射面４ａでの色度Ｙ値の分布を表す。
【００５７】
図１６と図１７とから分かるように、レンズ３の入射面３１をアナモフィック非球面にすることにより、被照射面４ａにおける色ムラが軽減されていることが確認できる。
【００５８】
図１８は、光源２の端面付近から光軸Ａに対して大きな角度で出射され、入射面３１に到達する光線の光路６１を示す。光源２から出射した光は、入射面３１を屈折しながら透過し、その後に出射面３２に到達する。到達した光は、出射面３２を屈折しながら透過し、その後に拡散板４の被照射面４ａに到達する。図１８において、光源２の発光面２１の最大幅をＤ、レンズ３の中心厚をｔとするとき、以下の式（１）を満足することが好ましい。尚、発光面２１の最大幅Ｄとは、平面視において発光面２１が円形の場合には直径が相当し、角形の場合には対角距離が相当する。
０．３＜Ｄ／ｔ＜３．０・・・（１）
このような条件を満足させることにより、光源２のサイズが変化することによって変動するフレネル反射成分が少なくなる。一方、式（１）の下限を超えると、レンズ３のサイズ（例えば光軸方向の長さ）が大きくなり、上限を超えると、上述のフレネル反射成分が発生し易くなる。
【００５９】
また、光源２の発光面２１の最大幅をＤ、レンズ３の有効径をＤｅとするとき、以下の式（２）を満足することが好ましい。
０．０３＜Ｄ／Ｄｅ＜０．３・・・（２）
このような条件を満足させることにより、光源２のサイズが変化することによって同時に変動するフレネル反射成分が少なくなる。また、式（２）の下限を超えると、レンズ３のサイズ（例えば光軸と垂直方向の長さ）が大きくなり、上限を超えると、上述のフレネル反射成分が発生し易くなる。
【００６０】
ところで、出射面３２が凹面であるレンズ３を用いた場合、光源２から出射した光は、入射面３１を屈折しながら透過し、その後に出射面３２に到達する。到達した光の一部は、出射面３２でフレネル反射をおこし、レンズ３の底面３３で屈折したのち、基板５に向かう。光は、基板５で拡散反射され、底面３３で再び屈折したのち、出射面３２で屈折しながら透過し、その後に拡散板４の被照射面４ａに到達することとなる。このようなフレネル反射しやすい形状では、光源２のサイズが変化すると、フレネル反射成分の影響が変化するために、被照射面４ａにおける照度分布が大きく変化するので、光源２のサイズに制約を受ける。
【００６１】
これに対し、本実施の形態によるレンズ３では、フレネル反射は発生し難いので、フレネル反射の影響を低減することができ、光源２のサイズや形状の制約を緩和できる。
【００６２】
図１９は、入射面３１の全面がアナモフィックな曲面であるレンズ３を採用した実施例１の発光装置１を、２４ｍｍピッチでＸ方向に一直線上に２５個、Ｙ方向に２個配置し、光源２の発光面２１から光軸方向において３５ｍｍ離れた位置に、拡散板４の被照射面４ａを配置したときの、被照射面４ａでの照度分布を表す。尚、図１９において、縦軸は、照度を最大値で規格化したものを示し、横軸は、光軸からの距離（ｍｍ）を示している。
【００６３】
図２０は、レンズ３を用いずにＬＥＤ光源のみを２４ｍｍピッチでＸ方向に一直線上に２５個、Ｙ方向に２個配置し、光源２の発光面２１から光軸方向において３５ｍｍ離れた位置に、拡散板４の被照射面４ａを配置したときの、被照射面４ａでの照度分布を表す。
【００６４】
図１９と図２０とを比較すると、レンズ３の効果で被照射面４ａにおいて、より均一に照明ができていることがわかる。
【００６５】
なお、上記様々な実施形態のうちの任意の実施形態を適宜組み合わせることにより、それぞれの有する効果を奏するようにすることができる。
本発明は、添付図面を参照しながら好ましい実施形態に関連して充分に記載されているが、この技術の熟練した人々にとっては種々の変形や修正は明白である。そのような変形や修正は、添付した請求の範囲による本発明の範囲から外れない限りにおいて、その中に含まれると理解されるべきである。
又、２０１１年５月３１日に出願された、日本国特許出願Ｎｏ．特願２０１１−１２１３７２号の明細書、図面、特許請求の範囲、及び要約書の開示内容の全ては、参考として本明細書中に編入されるものである。
【産業上の利用可能性】
【００６６】
以上のように本発明によれば、色ムラの少ない十分な明るさの面光源を提供する上で有用な発明である。
【符号の説明】
【００６７】
１  発光装置
２  光源
３  レンズ
４  拡散板
５  基板
６  反射シートないし反射コーティング膜
７  面光源
８  光学シート積層体
９  液晶表示パネル
１０  筐体
２１  発光面
２２  発光素子
２３  蛍光体を分散させた透明樹脂
３１  入射面
３２  出射面
３３  底面
３４  反射部
３５  リング部
【手続補正２】
【補正対象書類名】特許請求の範囲
【補正対象項目名】全文
【補正方法】変更
【補正の内容】
【特許請求の範囲】
【請求項１】
光源およびこの光源を覆って配置され光源からの光を拡張するレンズを有する発光装置と、発光装置に対向して配置され光源の光軸に直交して延在する拡散板とを備え、拡散板の表面から光を放射する面光源において、
前記発光装置は、拡散板の中央部に対向して拡散板の一辺に沿って複数個が列状に配置され、
前記光源は、発光素子と、該発光素子を覆う蛍光体層とを有し、蛍光体層の表面が発光面であり、
前記レンズは、前記光軸に直交する第１方向と、前記光軸および前記第１方向に直交する第２方向との屈折力が異なる、
面光源。
【請求項２】
前記レンズは、前記光源からの光を該レンズ内に入射させる入射面と、該レンズ内に入射した光を出射させる出射面とを有し、
前記入射面がアナモフィックな非球面の曲面を含む、請求項１に記載の面光源。
【請求項３】
前記出射面は、前記アナモフィックな非球面の曲面を含む凸面であり、
前記入射面は、前記光軸に対して回転対称な凹面である、請求項２に記載の面光源。
【請求項４】
前記光源は、前記蛍光体層は、ドーム状に形成された、請求項１に記載の面光源。
【請求項５】
前記レンズは、前記光源の発光面の最大幅をＤ、前記レンズの有効径をＤｅとしたとき、次の条件式、
０．０３＜Ｄ／Ｄｅ＜０．３
を満足する、請求項１に記載の面光源。
【請求項６】
前記レンズは、前記光源の発光面の最大幅をＤ、前記レンズの中心の厚みをｔとしたとき、
０．３＜Ｄ／ｔ＜３．０
を満足する、請求項１に記載の面光源。
【請求項７】
前記レンズの屈折力の弱い方向と、発光装置を多数並べる方向とが略一致するよう配置されている、請求項１の面光源。
【請求項８】
前記発光装置は、前記発光素子の発光領域と、前記蛍光体からの発光領域との差が前記第１方向と前記第２方向とで異なる状態では、差が大きい方向に、前記レンズの屈折力の弱い方向を合わせて配置されている、請求項１に記載の面光源。
【請求項９】
前記複数の発光装置におけるそれぞれの前記光源が実装され、前記拡散板に対向して配置される基板と、
前記光源を露出させながら前記基板を覆うとともに基板と拡散板との間に配置される反射用部材と、をさらに備える、請求項１に記載の面光源。
【請求項１０】
液晶表示パネルと、該液晶表示パネルの背面側に配置され、該液晶表示パネルに対応する大きさの面光源とを備えた液晶ディスプレイ装置であって、前記面光源は、複数個の光源および該光源を覆って配置され光源からの光を拡張するレンズを有する発光装置と、発光装置に対向して前記液晶表示パネルに隣接して配置され光源の光軸に直交して延在する拡散板と、前記発光装置から出射した光を前記拡散板側に反射させる反射用部材と、前記発光装置および前記反射用部材を収容し前記拡散板で閉止される筐体とを有する、液晶ディスプレイ装置において、
前記発光装置は、拡散板の中央部に対向して拡散板の一辺に沿って複数個が列状に配置され、
前記光源は、発光素子と、該発光素子を覆う蛍光体層とを有し、蛍光体層の表面が発光面であり、
前記レンズは、前記光軸に直交する第１方向と、前記光軸および前記第１方向と直交する第２方向の屈折力が異なる、
液晶ディスプレイ装置。
【手続補正３】
【補正対象書類名】図面
【補正対象項目名】全図
【補正方法】変更
【補正の内容】
【図１】
2012164791.tif 000029
【図２】
2012164791.tif 000030
【図３】
2012164791.tif 000031
【図４】
2012164791.tif 000032
【図５】
2012164791.tif 000033
【図６】
2012164791.tif 000034
【図７】
2012164791.tif 000035
【図８Ａ】
2012164791.tif 000036
【図８Ｂ】
2012164791.tif 000037
【図９Ａ】
2012164791.tif 000038
【図９Ｂ】
2012164791.tif 000039
【図９Ｃ】
2012164791.tif 000040
【図１０】
2012164791.tif 000041
【図１１】
2012164791.tif 000042
【図１２Ａ】
2012164791.tif 000043
【図１２Ｂ】
2012164791.tif 000044
【図１３】
2012164791.tif 000045
【図１４】
2012164791.tif 000046
【図１５】
2012164791.tif 000047
【図１６】
2012164791.tif 000048
【図１７】
2012164791.tif 000049
【図１８】
2012164791.tif 000050
【図１９】
2012164791.tif 000051
【図２０】
2012164791.tif 000052
【国際調査報告】
2012164791.tif 000053
2012164791.tif 000054
2012164791.tif 000055
2012164791.tif 000056